【事件の表示】
　特願２０１６−５２８２３６「ドキュメント管理及びコラボレーション・システム」拒絶査定不服審判事件〔平成２７年　５月１４日国際公開、ＷＯ２０１５／０７０１７４、平成２９年　２月　９日国内公表、特表２０１７−５０４８５７〕について、次のとおり審決する。
【結　論】
　本件審判の請求は、成り立たない。
【理　由】
第１　手続の経緯
　
　本願は，２０１４年１１月１０日（パリ条約による優先権主張２０１３年１１月１１日（以下，「優先日」という。），米国）を国際出願日とする出願であって，
　平成２８年６月２２日付けで審査請求がなされ，平成２９年６月２９日付けで審査官により拒絶理由が通知され，これに対して平成２９年１０月５日付けで意見書が提出されると共に手続補正がなされたが，平成３０年３月１５日付けで審査官により拒絶査定がなされ，これに対して平成３０年７月２５日付けで審判請求がなされると共に手続補正がなされ，平成３１年３月１８日付けで当審より拒絶理由通知（以下，「当審拒絶理由通知」という。）がされ，令和元年７月１７日に意見書が提出されると共に手続補正（以下，「本件補正」という。）がされたものである。
　
　
第２　本願発明
　
　本件補正によって補正された特許請求の範囲の請求項１（以下「本願発明」という。）は，以下のとおりである。（当審注：下線は，参考のため当審で付した。）
「２つ以上のコンピューティング・デバイスとアプリケーション・サービスを含む
コンピューディング
　前記アプリケーション・サービスは、
　ネットワーク経由で、２つ以上の前記コンピューティング・デバイスの１つからドキュメントを受信し、
　前記ドキュメントの受信結果として、前記ドキュメント用に、前記ドキュメントの共通フォーマットであるアンダーレイ、異なる表示特性を備える前記コンピューティング・デバイスにおいて安定した表示を可能にする座標マップ及び前記ドキュメントへ１つ以上の注釈を格納するために使用を可能にするオーバーレイを非同期で生成し、
　前記アンダーレイ、前記座標マップ及び前記オーバーレイを同期して、
コンピューディング
　ユーザにより開始される前記ドキュメントへのアクセスの要求を受信し、
　前記ドキュメントへのアクセスの前記要求に応じて、前記ドキュメント管理・コラボレーション・システムから前記アンダーレイ、前記座標マップ及びオーバーレイをユーザのコンピューティング・デバイスへ提供させる、システム。」
　（当審注：上記請求項の記載中，「コンピューディング」との記載は，本願明細書の発明の詳細な説明の記載を参酌すると，「コンピューティング」の誤記と解されるので，以下では「コンピューティング」と読み替えて検討を行う。）
第３　拒絶の理由
　平成３１年３月１８日に当審が通知した拒絶理由のうちの理由４は，次のとおりのものである。
　本願発明は，本願の出願前に日本国内又は外国において，頒布された又は電気通信回線を通じて公衆に利用可能となった以下の引用文献１に記載された発明に基づいて，その出願前にその発明の属する技術の分野における通常の知識を有する者が容易に発明をすることができたものであるから，特許法２９条２項の規定により特許を受けることができない。
　
引用文献１：特開２００９−８６７４２号公報
　
　
第４　引用文献の記載及び引用発明
１　引用文献１の記載
　当審拒絶理由通知に引用された，本願の優先日前に既に公知である，引用文献１（特開２００９−８６７４２号公報）には，以下の事項が記載されている（下線は，当審で付した。以下同じ。）。
Ａ　「【０００１】
　本発明は文書管理サーバ、携帯端末、及び文書管理システムに係り、特に
携帯端末で文書を閲覧する際、簡易にコメントを残し、残したコメントを閲覧することのできる文書管理サーバ、携帯端末、及び文書管理システム
【背景技術】
【０００２】
　企業内に溢れる様々な情報は、文書のみならず画像、Webコンテンツなど多様化しており、日々増加している。これら企業内コンテンツを一元管理し、企業活動の活性化、効率化を図るためのECM(Enterprise Content Management)ソリューションが普及しつつある。しかし、このECMソリューションの効果を最も発揮するのは、対外的なプレゼン、営業活動を実施する場面であるにもかかわらず、出先で利用する機会の多いモバイル環境に適したソリューションがほとんどないのが実情である。
【０００３】
　特許文献１には、情報処理装置を用いて選択された携帯端末用データを、携帯端末装置に向けて通信ネットワークを介して配信する技術が記載されている。この技術によれば、携帯端末装置で使用するデータを複数のデータの中から選択する場合に、煩雑な処理を行うことなく容易に閲覧して簡単に選択することができる。
【特許文献１】特開２００３−３１６６７７号公報
【発明の開示】
【発明が解決しようとする課題】
【０００４】
　特許文献１に記載の技術のように、携帯電話を活用した出先での営業活動を考慮した製品なども整いつつあるが、出先で参照することは可能であっても、更新することが困難であり利用者の要求を満たしていない。一方、「携帯電話での操作は紙に付箋を貼るような感覚で文書に対するメモを残す程度で十分である。」という要求も多い。本発明はこのような事情に鑑みてなされたもので、一元管理されている多種多様な文書(各種フォーマット文書、画像)を携帯電話で閲覧する際、紙に付箋を貼るような感覚で簡易にコメントを残し、残したコメントを閲覧することのできる文書管理サーバ、携帯端末、及び文書管理システムを提供することを目的とする。」
　
Ｂ　「【００２０】
　図１は、本発明が適用される
文書管理システムの全体構成
企業内ネットワーク（イントラネット）１０と、企業外に敷設されたインターネット等の通信ネットワーク１２と、通信ネットワーク１２に基地局１３を介して接続可能な携帯電話１４等から構成されている。
【００２１】
　
企業内ネットワーク１０は、文書管理サーバ２２、データベースサーバ２４、ルータ２６、企業内に配置された各社員のパソコン（ＰＣ）２８、２８、…等から構築されている。
【００２２】
　また、
携帯電話１４は、社員等が所有する任意の携帯電話を示し、基地局１３を介して通信ネットワーク１２に接続できるようになっている。そして、通信ネットワーク１２に接続することで企業内ネットワーク１０の文書管理サーバ２２にアクセスすることができ、文書管理サーバ２２から配信される情報を、ｈｔｍｌファイルや画像ファイル（ＪＰＥＧファイル等）のような携帯電話１４で閲覧可能なファイルで取得し、閲覧することができる
【００２３】
　
企業内ネットワーク１０では、文書管理サーバ２２及びデータベースサーバ２４により企業内の様々なフォーマット（ファイル形式）で作成された文書や画像等の情報（文書）が一元管理されており、各種文書がデータベースサーバ２４に蓄積、保存されている。
【００２４】
　
文書管理サーバ２２は、通信ネットワーク１２を通じて企業内ネットワーク１０の外部からアクセスしてきた携帯電話１４に対して、携帯電話１４により要求された文書をデータベースサーバ２４から取得し、その文書を携帯電話１４で閲覧可能なフォーマットに変換して送信する機能を備えている。これによって、様々なフォーマットでデータベースサーバ２４に保管されている企業内の文書や画像等の文書を外出先の携帯電話１４で閲覧することができるようになっている。
【００２５】
　また、
文書管理サーバ２２に携帯電話１４からアクセスすることによって単にデータベースサーバ２４に保管されている文書を閲覧するだけでなく、携帯電話１４においてその文書の必要な箇所に付箋情報としてマーキングやコメントを付することが可能となっている。
　
Ｃ　「【００２７】
　図２は、企業内ネットワーク１０におけるＰＣ２８での文書の登録、及び、登録された文書の携帯電話１４での閲覧とマーキング作成に関連する処理手段を示したシステム図である。
【００２８】
　まず、図２において、企業内ネットワーク１０におけるＰＣ２８での文書の登録に関連する処理手段の処理内容について説明する。同図において
ＰＣ２８は、文書を登録しようとする文書閲覧者が使用するパソコンを示し、文書閲覧者は、ＰＣ２８において文書作成用の所望のアプリケーションを起動して文書を作成し、任意のフォーマット（ファイル形式）で保存する。そして、その文書をデータベースサーバ２４に登録するため、そのＰＣ２８から文書管理サーバ２２にアクセス（接続）し、一連の登録作業を行う。
【００２９】
　一方、
文書管理サーバ２２は、文書の登録に関連して情報入出力手段４０
を備えている。
【００３０】
　情報入出力手段４０は、文書管理サーバ２２にアクセスしてきたＰＣ２８に対して、文書の登録を案内するための各種案内画面を提供し、登録する文書（登録文書）のデータ（ファイル）や文書を管理する上で必要な情報として、案内画面に対して文書閲覧者が入力した情報を取得する。尚、
情報入出力手段４０は、文書管理サーバ２２にアクセスしてきたユーザに対して最初にパスワード等の入力を促し、そのユーザがアクセス権限を有するか否かのユーザ認証も行っている。
アクセス権限があると認証されたユーザのみが文書を登録することができるようになっている。
【００３１】
　文書管理テーブルデータ作成手段４２は、
ＰＣ２８により入力され情報入出力手段４０により取得された情報に基づいて、後述の文書管理テーブル８２用のデータを作成する。文書管理テーブル８２用のデータは、登録文書のファイルと共に、文書管理サーバ２２からデータベースサーバ２４に送られ
登録文書のファイルは、データベースサーバ２４の文書データベース８０に格納される。
Ｄ　「【００３９】
　図５は、
文書閲覧者が操作する携帯電話１４において閲覧文書の任意の位置にマーキングを行う処理
【００４０】
　まず、
文書閲覧者は携帯電話１４により文書管理サーバ２２にアクセスする
【００４１】
　
文書管理サーバ２２では
アクセスしてきた文書閲覧者が正式なアクセス権限を有するか否かのユーザ認証を行う
そのユーザ認証が適切に行えたか否かを判定し
ＹＥＳと判定した場合には、アクセスを許可して
【００４２】
　文書閲覧者は、携帯電話１４のディスプレイ表示された文書一覧に基づいて、閲覧したい文書の指定を行う（ステップＳ１８）。図６（ｂ）は、携帯電話１４のディスプレイに表示された文書一覧を示す図である。文書管理サーバ２２は、指定された文書を携帯電話１４に開示し（ステップＳ２０）、
携帯電話１４のディスプレイには図６（ｃ）に示すように指定した文書が表示される
【００４３】
　続いて、
文書閲覧者は、携帯電話１４により閲覧文書にマーキングを行うか否かを指定する
マーキングの実行の指定は
「マーキング」に該当する操作ボタンを押すことにより行う。
【００４４】
　
文書閲覧者が「マーキング」に該当する操作ボタンを押すと
閲覧文書の上に重ねて本実施の形態におけるマーキング用オブジェクトである長方形が表示される。文書閲覧者は、携帯電話１４の十字キー等を用いて、マーキングしたい位置へマーキング用長方形を移動させる
【００４５】
　図６（ｄ）に示す「決定」に該当する操作ボタンを押し、
マーキング用長方形の位置を確定する
【００４６】
　ここで、マーキング種類について説明する。マーキング種類はマーキングの重要度を示すもので、重要な順に、重要（大）、重要（小）、要更新、削除の４つに分けられる。図７は、マーキング種類管理テーブル８４のデータ構造を示した図である。「マーキングＩＤ」及び「重要度」のデータのまとまりが１件分のレコードを構成している。
【００４７】
　図６（ｅ）の画面において、十字キーを用いてカーソルをプルダウンメニュー１００に合わせて所定のボタンを押すことで、マーキング種類、即ちマーキングの重要度を選択することができる。また、
空欄１０２にテキストデータを入力することにより、コメントを記入することも可能となっている
【００４８】
　マーキング種類の指定、及び
コメント入力が終了したら
「決定」に該当する操作ボタンを押すことにより、マーキングが確定し、携帯電話１４は、マーキング位置情報、
及びテキスト情報を文書管理サーバ２２に送信する
文書管理サーバ２２においては、これらの情報を基に
マーキング履歴が自動的に作成され、マーキング履歴管理テーブル８６のレコードとして追加される
【００４９】
　
ここで、マーキング履歴管理テーブル８６
１つのマーキングに対して「文書ＩＤ」、「マーキング位置Ｘ」、「マーキング位置Ｙ」、「マーキングＩＤ」、「テキスト」、「作成日時」、「ユーザＩＤ」という各フィールドのデータのまとまりが１件分のレコードを構成している。
【００５０】
　ここで、「文書ＩＤ」は閲覧文書のＩＤのデータであり、
「マーキング位置Ｘ」及び「マーキング位置Ｙ」は、閲覧文書におけるマーキングの座標位置のデータであり
マーキング履歴はマーキングの施された閲覧文書と関連付けられて記録される。
【００５１】
　次に、閲覧文書のマーキング閲覧について説明する。図９は、
文書閲覧者が操作する携帯電話１４において閲覧中の文書においてマーキングの閲覧を行う処理
【００５２】
　まず、
文書閲覧者は携帯電話１４により文書管理サーバ２２にアクセスする
【００５３】
　
文書管理サーバ２２では、ユーザ認証を行い
そのユーザ認証が適切に行えたか否かを判定し
ＹＥＳと判定した場合には、アクセスを許可して、表示させる文書を選択するための文書一覧画面をＰＣ２８に送信する
【００５４】
　
文書閲覧者は、
携帯電話１４のディスプレイ表示された文書一覧に基づいて、閲覧したい文書の指定を行う
文書管理サーバ２２は、指定された文書を携帯電話１４に開示すると共に、この文書に作成されているマーキングの位置情報をマーキング履歴管理テーブル８６から取得し、携帯電話１４に開示する
この情報に基づき、携帯電話１４のディスプレイには図１０（ｃ）に示すように指定した文書が表示される
【００５５】
　
続いて、文書閲覧者は
「マーキング閲覧」
ボタンを押すことにより行う。
【００５６】
　
文書閲覧者が「マーキング閲覧」に該当する操作ボタンを押すと、
閲覧文書の上に重ねてマーキング箇所にマーキング用オブジェクトである長方形が表示される。文書閲覧者は、携帯電話１４の十字キー等を用いて、閲覧したいマーキング用長方形を指定する
所望のマーキングを選択した状態で
「決定」に該当する操作ボタンを押すと閲覧マーキングが指定される。
【００５７】
　
閲覧マーキングが指定されると、携帯電話１４は指定されたマーキングについて、マーキングの位置情報を用いて文書管理サーバ２２に問い合わせを行う
文書管理サーバ２２は情報入出力手段５０により取得された文書情報及びマーキング位置情報に基づいて、データベースサーバ２４のマーキング履歴管理テーブル８６から、該当するマーキングについての情報を取得する
このマーキング情報を情報入出力手段５０により携帯電話１４に開示する
【００５８】
　
携帯電話１４は、
この開示された情報をディスプレイに表示する
閲覧文書内の同じ箇所に複数の人がマーキングを行っている場合に、同時に複数のマーキング情報の表示を行っているが、閲覧している本人が作成したマーキングだけを表示してもよい。
【００５９】
　なお、ステップＳ４０においてマーキング閲覧の実行の指定をした後に、表示を行うマーキングを選択してもよい。例えば、携帯電話１４のディスプレイに図１１（ａ）に示すように表示を行い、作成者を指定してもよい。この場合は、図１０（ｄ）のマーキング表示において、指定された作成者が作成したマーキングだけが表示される。同様に、図１１（ｂ）に示すようにマーキングされた日付を指定してもよいし、図１１（ｃ）に示すようにマーキングの重要度を指定してもよい。いずれの場合も、指定されたマーキングだけが表示される。
【００６０】
　また、
全てのマーキングを同時に表示する場合には、マーキングを
作成者別に色分けをして表示してもよい。
　
２　引用発明
　
　以上，上記１の記載から，引用文献１には，以下の発明が記載されている（以下「引用発明」という。）。
　
　携帯端末で文書を閲覧する際，簡易にコメントを残し，残したコメントを閲覧することのできる文書管理システムであって，
　文書管理サーバ，データベースサーバ，ルータ，企業内に配置された各社員のパソコン（ＰＣ）から構築されている企業内ネットワークと，
　社員等が所有する任意の携帯電話であって，基地局を介して通信ネットワークに接続できるようになっており，当該通信ネットワークに接続することで前記企業内ネットワークの前記文書管理サーバにアクセスすることができ，前記文書管理サーバから配信される情報を，ｈｔｍｌファイルや画像ファイル（ＪＰＥＧファイル等）のような携帯電話で閲覧可能なファイルで取得し，閲覧することができる携帯電話とからなり，
　前記企業内ネットワークでは，前記文書管理サーバ及び前記データベースサーバにより企業内の様々なフォーマット（ファイル形式）で作成された文書や画像等の情報（文書）が一元管理されており，各種文書が前記データベースサーバに蓄積，保存されており，
　前記文書管理サーバは，前記通信ネットワークを通じて前記企業内ネットワークの外部からアクセスしてきた前記携帯電話に対して，前記携帯電話により要求された文書を前記データベースサーバから取得し，その文書を前記携帯電話で閲覧可能なフォーマットに変換して送信する機能を備えており，これによって，様々なフォーマットで前記データベースサーバに保管されている企業内の文書や画像等の文書を外出先の前記携帯電話で閲覧することができるようになっており，
　前記文書管理サーバに前記携帯電話からアクセスすることによって単に前記データベースサーバに保管されている文書を閲覧するだけでなく，前記携帯電話においてその文書の必要な箇所に付箋情報としてマーキングやコメントを付することが可能となっており，
　文書を登録しようとする文書閲覧者は，前記ＰＣにおいて文書作成用の所望のアプリケーションを起動して文書を作成し，任意のフォーマット（ファイル形式）で保存し，その文書を前記データベースサーバに登録するため，前記ＰＣから前記文書管理サーバにアクセス（接続）して一連の登録作業を行い，
　前記文書管理サーバは，文書の登録に関連して情報入出力手段を備えており，
　前記情報入出力手段は，前記文書管理サーバにアクセスしてきたユーザに対して最初にパスワード等の入力を促し，そのユーザがアクセス権限を有するか否かのユーザ認証を行い，アクセス権限があると認証されたユーザのみが文書を登録することができるようになっており，
　前記ＰＣにより入力され前記情報入出力手段により取得された情報に基づいて，文書管理テーブル用のデータを作成し，当該文書管理テーブル用のデータは，登録文書のファイルと共に，前記文書管理サーバから前記データベースサーバに送られ，登録文書のファイルは，前記データベースサーバの文書データベースに格納され，
　文書閲覧者が操作する前記携帯電話において閲覧文書の任意の位置にマーキングを行う処理では，
　　文書閲覧者が前記携帯電話により前記文書管理サーバにアクセスすると，
　　前記文書管理サーバは，アクセスしてきた文書閲覧者が正式なアクセス権限を有するか否かのユーザ認証を行い，ユーザ認証が適切に行えた場合には，アクセスを許可し，指定された文書を前記携帯電話のディスプレイに表示し，
　　文書閲覧者が，前記携帯電話により閲覧文書にマーキングを行うために「マーキング」ボタンを押すと，閲覧文書の上に重ねてマーキング用オブジェクトである長方形が表示され，
　　文書閲覧者は，前記携帯電話の十字キー等を用いて，マーキングしたい位置へマーキング用長方形を移動させてマーキング用長方形の位置を確定し，
　　空欄にテキストデータを入力することにより，コメントを記入することが可能であり，
　　コメント入力が終了したら「決定」ボタンを押すことにより，マーキングが確定し，前記携帯電話は，マーキング位置情報及びテキスト情報を前記文書管理サーバに送信し，
　　前記文書管理サーバは，これらの情報を基にマーキング履歴を自動的に作成し，マーキング履歴管理テーブルのレコードとして追加し，
　　ここで，マーキング履歴管理テーブルには，１つのマーキングに対して「文書ＩＤ」，「マーキング位置Ｘ」，「マーキング位置Ｙ」，「マーキングＩＤ」，「テキスト」，「作成日時」，「ユーザＩＤ」という各フィールドのデータのまとまりが１件分のレコードを構成しており，
　　ここで，「マーキング位置Ｘ」及び「マーキング位置Ｙ」は，閲覧文書におけるマーキングの座標位置のデータであり，
　　前記マーキング履歴はマーキングの施された閲覧文書と関連付けて記録され，
　文書閲覧者が操作する前記携帯電話において閲覧中の文書においてマーキングの閲覧を行う処理では，
　　文書閲覧者が前記携帯電話により前記文書管理サーバにアクセスすると，前記文書管理サーバでは，ユーザ認証を行い，ユーザ認証が適切に行えた場合には，アクセスを許可して，表示させる文書を選択するための文書一覧画面を送信し，
　　文書閲覧者は，前記携帯電話のディスプレイ表示された文書一覧に基づいて，閲覧したい文書の指定を行い，
　　前記文書管理サーバは，指定された文書を前記携帯電話に開示すると共に，この文書に作成されているマーキングの位置情報を前記マーキング履歴管理テーブルから取得し，前記携帯電話に開示し，この情報に基づき，前記携帯電話のディスプレイには指定した文書が表示され，
　　続いて，文書閲覧者が，「マーキング閲覧」ボタンを押すと，閲覧文書の上に重ねてマーキング箇所にマーキング用オブジェクトである長方形が表示され，
　　文書閲覧者は，前記携帯電話の十字キー等を用いて，閲覧したいマーキング用長方形を指定し，所望のマーキングを選択した状態で「決定」ボタンを押すと閲覧マーキングが指定され，
　　閲覧マーキングが指定されると，前記携帯電話は指定されたマーキングについて，マーキングの位置情報を用いて前記文書管理サーバに問い合わせを行い，
　　前記文書管理サーバは前記情報入出力手段により取得された文書情報及びマーキング位置情報に基づいて，前記データベースサーバの前記マーキング履歴管理テーブルから，該当するマーキングについての情報を取得して，マーキング情報を前記情報入出力手段により前記携帯電話に開示し，
　　前記携帯電話は，開示された情報をディスプレイに表示し，
　　閲覧文書内の同じ箇所に複数の人がマーキングを行っている場合に，同時に複数のマーキング情報の表示を行っているが，閲覧している本人が作成したマーキングだけを表示してもよく，
　　全てのマーキングを同時に表示する場合には，マーキングを作成者別に色分けをして表示してもよい，文書管理システム。
第５　対比 
　本願発明と引用発明を対比すると，以下のとおりとなる。
　
１　引用発明である「文書管理システム」は，「文書管理サーバ」，「データベースサーバ」及び「パソコン（ＰＣ）」を含む「企業内ネットワーク」と，「携帯電話」を備えるシステムであり，引用発明の「パソコン（ＰＣ）」及び「携帯電話」は本願発明の「コンピューティング・デバイス」に相当する。
２　ここで，本願発明の「コンピューティング・リソース・サービス・プロバイダ」が備える「アプリケーション・サービス」及び「ドキュメント管理・コラボレーション・システム」は，「２つ以上のコンピューティング・デバイス」とデータや要求等の送受信を行うものであるところ，本願発明の上記「アプリケーション・サービス」に関し本願明細書の発明の詳細な説明には，段落【００３０】に「図３は、少なくとも１つの実施形態に従う
フロントエンド・システムならびにドキュメント管理及びコラボレーション・システムの機能エンティティ
フロントエンド・システム３０４
アプリケーション・サービス３３４
を含む
フロントエンド・システム２０４
顧客がコンピューティング・リソース・サービス・プロバイダ２１０でアプリケーション
を実行することを可能にし
アプリケーション・サービス３３４は、ユーザからの要求を受信し、この要求にサービスを提供する、ユーザに公開されたサービスとして機能するように集合的に構成されたコンピューティング・デバイス及び他のリソースの集合物
　また，本願発明の「ドキュメント管理・コラボレーション・システム」に関しても，本願明細書の発明の詳細な説明に，段落【０００９】の「本明細書に記載され提案された技術は、
ドキュメント管理及びコラボレーション・システムを利用してユーザがドキュメントを共有しドキュメントで連携することを可能にする
１人のユーザ
権限特権を有する
この権限特権は、ユーザがドキュメントを閲覧する、これを変更するか、またはこれに注釈を付けることを可能にすることができる。権限特権は、ユーザがドキュメントについてコメントするか、またはこれに関するフィードバックを与え、ドキュメントまたはフォルダを作成するか、またはこれらを削除することをさらに可能にすることができる。
ドキュメント管理及びコラボレーション・システム２０６は、分散システム中の１人以上のユーザ間のコラボレーション用のドキュメントの実行及び処理を可能にし管理する。
　
３　これに対し，引用発明である「文書管理システム」が備える「文書管理サーバ」は，「通信ネットワークを通じて前記企業内ネットワークの外部からアクセスしてきた前記携帯電話に対して，前記携帯電話により要求された文書を前記データベースサーバから取得し，その文書を前記携帯電話で閲覧可能なフォーマットに変換して送信する機能を備えており，これによって，様々なフォーマットで前記データベースサーバに保管されている企業内の文書や画像等の文書を外出先の前記携帯電話で閲覧することができるようにな」るとともに，「前記携帯電話においてその文書の必要な箇所に付箋情報としてマーキングやコメントを付することが可能と」なり，また，「ＰＣにおいて文書作成用の所望のアプリケーションを起動して文書を作成し，任意のフォーマット（ファイル形式）で保存し，その文書を前記データベースサーバに登録するため，前記ＰＣから前記文書管理サーバにアクセス（接続）して一連の登録作業を行」うことを可能とするものであり，これら「文書管理サーバ」の処理（文書の取得，変換，付箋情報の付加，登録）が当該「文書管理サーバ」におけるアプリケーションの実行により実現されていることは明らかであり，また，「文書管理サーバ」の上記処理（文書の取得，変換，付箋情報の付加，登録）の内容は，「携帯電話」または「ＰＣ」のユーザからのアクセス（要求）に対し提供されたサービスといいうることから，上記「文書管理サーバ」は，ユーザからの要求に対しサービスを提供することで，ユーザによるアプリケーション実行を可能にする構成を備えるといえ，そうすると，引用発明の「文書管理サーバ」が備える上記構成は，上記２で検討した本願発明の「アプリケーション・サービス」に対応するといえる。
　また，引用発明の「文書管理システム」が備える「データベースサーバ」は，「様々なフォーマットで前記データベースサーバに保管されている企業内の文書や画像等の文書を外出先の前記携帯電話で閲覧することができるようになって」いるものであり，「文書を登録しようとする文書閲覧者は，前記ＰＣにおいて文書作成用の所望のアプリケーションを起動して文書を作成し，任意のフォーマット（ファイル形式）で保存し，その文書を前記データベースサーバに登録するため，前記ＰＣから前記文書管理サーバにアクセス（接続）して一連の登録作業を行い」，「アクセス権限があると認証されたユーザのみが文書を登録することができるようになっており」，また，「文書閲覧者が操作する前記携帯電話において閲覧文書の任意の位置にマーキングを行う」際には，「文書管理サーバは，これらの情報を基にマーキング履歴を自動的に作成し，マーキング履歴管理テーブルのレコードとして追加し」て「マーキング履歴はマーキングの施された閲覧文書と関連付けて記録され」るものであり，また，「文書閲覧者が操作する前記携帯電話において閲覧中の文書においてマーキングの閲覧を行う」際には，「文書閲覧者が前記携帯電話により前記文書管理サーバにアクセスすると，前記文書管理サーバでは，ユーザ認証を行い，ユーザ認証が適切に行えた場合には，アクセスを許可して」，「マーキングの位置情報を用いて前記文書管理サーバに問い合わせを行い，前記文書管理サーバは前記情報入出力手段により取得された文書情報及びマーキング位置情報に基づいて，前記データベースサーバの前記マーキング履歴管理テーブルから，該当するマーキングについての情報を取得して，マーキング情報を前記情報入出力手段により前記携帯電話に開示」するものであって，「文書」は上記「データベースサーバ」に「様々なフォーマットで」「保管されて」おり，アクセスを許可されたユーザのみが「閲覧」可能な「文書」として管理されているといえ，さらに，「ＰＣ」のユーザにより登録された「文書」が，「携帯電話」のユーザによりマーキング追加や閲覧が行えることからして，ユーザ間で「文書」を共有し「文書」を介してマーキング処理の連携がなされているといえるから，ユーザが権限を有するドキュメントを管理し，ユーザ間でドキュメントを共有しドキュメントで連携することを可能にするシステムであるといえ，そうすると，引用発明の上記「データベースサーバ」は，上記２で検討した本願発明の「ドキュメント管理・コラボレーション・システム」に相当するといえる。
　そして，引用発明の「文書管理システム」における上記「文書管理サーバ」及び上記「データベースサーバ」は，それにより，「携帯端末で文書を閲覧する際，簡易にコメントを残し，残したコメントを閲覧することのできる」ものであり，この場合の「文書」に残される「コメント」は，「テキストデータ」として入力され「マーキング履歴管理テーブル」に「マーキングに対して」追加されることで「レコード」を構成するものであって，当該「マーキング履歴管理テーブル」が，上記「データベースサーバ」における格納手段であることからすると，上記「文書管理サーバ」及び上記「データベースサーバ」は，コンピューティング・リソースに係るサービスを提供する構成であるといえ，一方，本願発明の「コンピューティング・リソース・サービス・プロバイダ」も，コンピューティング・リソースに係るサービスを提供していることから，後記する点で相違するものの，本願発明の「コンピューティング・リソース・サービス・プロバイダ」と，引用発明の上記「文書管理サーバ」及び上記「データベースサーバ」からなる構成とは，“コンピューティング・リソースに係るサービスを提供する構成”である点で共通するといえる。
　
４　上記３によれば，引用発明の「文書管理サーバ」は，本願発明の「アプリケーション・サービス」に対応する構成を含むことから，後記する点で相違するものの，本願発明の「アプリケーション・サービスを含むコンピューティング・リソース・サービス・プロバイダ」と，引用発明の「文書管理サーバ」及び「データベースサーバ」からなる構成とは，“アプリケーション・サービスを含むコンピューティング・リソースに係るサービスを提供する構成”である点で共通し，
　そうすると，上記１ないし３から，本願発明である「２つ以上のコンピューティング・デバイスとアプリケーション・サービスを含むコンピューティング・リソース・サービス・プロバイダとを有するシステム」と，引用発明である「文書管理サーバ，データベースサーバ，ルータ，企業内に配置された各社員のパソコン（ＰＣ）から構築されている企業内ネットワークと，社員等が所有する任意の携帯電話」とからなる「文書管理システム」とは，“２つ以上のコンピューティング・デバイスと，アプリケーション・サービスを含むコンピューティング・リソースに係るサービスを提供する構成とを有するシステム”である点で共通するといえる。
　
５　上記３で対応するとした，引用発明の「文書管理サーバ」が備える構成と，本願発明の「アプリケーション・サービス」の，処理について以下で対比する。
　
　引用発明は，「文書を登録しようとする文書閲覧者は，前記ＰＣにおいて文書作成用の所望のアプリケーションを起動して文書を作成し，任意のフォーマット（ファイル形式）で保存し，その文書を前記データベースサーバに登録するため，前記ＰＣから前記文書管理サーバにアクセス（接続）して一連の登録作業を行」うものであるところ，当該登録作業において，「文書管理サーバ」は，「企業内ネットワーク」における「ＰＣ」と「文書管理サーバ」を接続する「ネットワーク」経由で，前記「ＰＣ」から文書を受信していることは明らかであるから，引用発明と本願発明とは，「アプリケーション・サービス」が，「ネットワーク経由で，２つ以上の前記コンピューティング・デバイスの１つからドキュメントを受信し」ている点で一致する。
　
６　引用発明の「文書管理サーバ」は，「通信ネットワークを通じて前記企業内ネットワークの外部からアクセスしてきた前記携帯電話に対して，前記携帯電話により要求された文書を前記データベースサーバから取得し，その文書を前記携帯電話で閲覧可能なフォーマットに変換して送信する機能を備えて」おり，ここでの「携帯電話で閲覧可能なフォーマット」は，「企業内の様々なフォーマット（ファイル形式）」とは違って，携帯電話で閲覧可能なフォーマットである点で，本願発明における「共通フォーマットであるアンダーレイ」に相当するものであるから，引用発明と本願発明とは，「ドキュメント用に，前記ドキュメントの共通フォーマットであるアンダーレイ」を「生成」させている点で共通する。
　
７　引用発明では，「文書閲覧者が，前記携帯電話により閲覧文書にマーキングを行う」と，「閲覧文書におけるマーキングの座標位置」のデータである「マーキング位置Ｘ」及び「マーキング位置Ｙ」が「マーキングの施された閲覧文書と関連付けて記録され」るところ，「閲覧文書におけるマーキングの座標位置」は，閲覧文書が異なる表示特性を備えるコンピューティング・デバイスで表示された場合であっても，閲覧文書の当該「座標位置」にマーキングを表示させるように機能するものであって，異なる表示特性を備えるコンピューティング・デバイスにおいて安定した表示を可能にするものといえるから，本願発明の「異なる表示特性を備えるコンピューティング・デバイスにおいて安定した表示を可能にする座標マップ」に相当する。
　したがって，引用発明と本願発明とは，「異なる表示特性を備えるコンピューティング・デバイスにおいて安定した表示を可能にする座標マップ」を「生成」させている点で共通する。
　
８　引用発明の「マーキング」は，「携帯電話においてその文書の必要な箇所に付箋情報として」「付することが可能」なものであるから，「文書」に重ねて表示されるものである点で本願発明の「オーバーレイ」に対応するところ，引用発明の「コメント」は本願発明の「注釈」に相当し，引用発明では，「マーキング」に「コメント」を「記入すること」で，「マーキング履歴管理テーブルのレコードとして追加」することから，引用発明の「マーキング」は，本願発明の「オーバーレイ」と，「ドキュメントへ１つ以上の注釈を格納するために使用を可能にする」ものである点で共通する。
　してみると，引用発明と本願発明とは，「ドキュメントへ１つ以上の注釈を格納するために使用を可能にするオーバーレイ」を「生成」させている点で共通する。
　
９　上記６ないし８で検討した，「アンダーレイ」，「座標マップ」及び「オーバーレイ」の生成処理は，「文書管理サーバ」の機能によって行われており，いずれも「文書」を登録した後の処理として，すなわち，ドキュメントの受信結果として実行される処理であり，また，文献の受信や登録処理とは別に，すなわち，「非同期」で実行される処理であるといえるから，引用発明と本願発明とは，「アプリケーション・サービス」が，「ドキュメントの受信結果として，前記ドキュメント用に，前記ドキュメントの共通フォーマットであるアンダーレイ，異なる表示特性を備える前記コンピューティング・デバイスにおいて安定した表示を可能にする座標マップ及び前記ドキュメントへ１つ以上の注釈を格納するために使用を可能にするオーバーレイを非同期で生成」している点で共通する。
　
１０　引用発明では，上記７及び８で生成した，「マーキング」及び「閲覧文書におけるマーキングの座標位置」は，「データベースサーバ」の「マーキング履歴管理テーブル」に「マーキングの施された閲覧文書と関連付けて記録され」ることから，「文書管理サーバ」の機能によって生成された後，「データベースサーバ」に送信されるのは明らかである。
　してみると，後記する点で相違するものの，上記３の検討も踏まえると，引用発明と本願発明とは，“アプリケーション・サービス”が，“座標マップ及びオーバーレイを，コンピューティング・リソースに係るサービスを提供する構成内のドキュメント管理・コラボレーション・システムに送信し”ている点で一致する。
　
１１　引用発明の「文書閲覧者が操作する前記携帯電話において閲覧中の文書においてマーキングの閲覧を行う処理」において，「文書閲覧者が前記携帯電話により前記文書管理サーバにアクセスする」ことは，本願発明の「アプリケーション・サービス」が，「ユーザにより開始される前記ドキュメントへのアクセスの要求を受信」することに相当する。
　
１２　引用発明では，「文書管理サーバは，指定された文書を前記携帯電話に開示すると共に，この文書に作成されているマーキングの位置情報を前記マーキング履歴管理テーブルから取得し，前記携帯電話に開示し，この情報に基づき，前記携帯電話のディスプレイには指定した文書が表示され」，「続いて，文書閲覧者が，「マーキング閲覧」ボタンを押すと，閲覧文書の上に重ねてマーキング箇所にマーキング用オブジェクトである長方形が表示され」るところ，この動作は，上記１１の「文書閲覧者が前記携帯電話により前記文書管理サーバにアクセスする」ことに応じてなされるものであり，当該アクセスに応じて，「文書管理サーバ」が，「指定された文書を前記携帯電話に開示」し，当該「文書」は，「携帯電話で閲覧可能なフォーマットに変換」したものであって，上記６における本願発明の「共通フォーマットであるアンダーレイ」に相当するから，引用発明と本願発明とは，「アンダーレイ」を「ユーザのコンピューティング・デバイス」へ「提供」させている点で共通しているといえる。
　また，引用発明では，「文書に作成されているマーキングの位置情報を前記マーキング履歴管理テーブルから取得し，前記携帯電話に開示」しているから，上記８の検討もあわせると，引用発明と本願発明とは，「座標マップ」を「ユーザのコンピューティング・デバイス」へ「提供」させている点で共通しているといえる。
　また，引用発明では，「文書閲覧者が，「マーキング閲覧」ボタンを押すと，閲覧文書の上に重ねてマーキング箇所にマーキング用オブジェクトである長方形が表示され」るから，上記７の検討もあわせると，引用発明と本願発明とは，「オーバーレイ」を「ユーザのコンピューティング・デバイス」へ「提供」させている点で共通しているといえる。
　してみると，後記する点で相違するものの，引用発明と本願発明とは，“アプリケーション・サービス”が，“ドキュメントへのアクセスの要求に応じて”，“アンダーレイ，座標マップ及びオーバーレイをユーザのコンピューティング・デバイスへ提供させる”点で共通する。
　
　以上の検討から，本願発明と引用発明との間には，次の一致点，相違点があるといえる。
　
（一致点）
　２つ以上のコンピューティング・デバイスとアプリケーション・サービスを含むコンピューティング・リソースに係るサービスを提供する構成とを有するシステムであって，
　前記アプリケーション・サービスは，
　ネットワーク経由で，２つ以上の前記コンピューティング・デバイスの１つからドキュメントを受信し，
　前記ドキュメントの受信結果として，前記ドキュメント用に，前記ドキュメントの共通フォーマットであるアンダーレイ，異なる表示特性を備える前記コンピューティング・デバイスにおいて安定した表示を可能にする座標マップ及び前記ドキュメントへ１つ以上の注釈を格納するために使用を可能にするオーバーレイを非同期で生成し，
　前記座標マップ及び前記オーバーレイをコンピューティング・リソースに係るサービスを提供する構成内のドキュメント管理・コラボレーション・システムに送信し，
　ユーザにより開始される前記ドキュメントへのアクセスの要求を受信し，
　前記ドキュメントへのアクセスの前記要求に応じて，前記アンダーレイ，前記座標マップ及びオーバーレイをユーザのコンピューティング・デバイスへ提供させる，システム。
　
（相違点１）
　コンピューティング・リソースに係るサービスを提供する構成に関し，
　本願発明では，「コンピューティング・リソース・サービス・プロバイダ」であるのに対して，
　引用発明では，「コンピューティング・リソース・サービス・プロバイダ」に相当する構成であるとの特定はなされていない点。
　
（相違点２）
　アプリケーション・サービスからドキュメント管理・コラボレーション・システムに送信する点に関し，
　本願発明では，送信を「同期して」行うとともに，生成した「アンダーレイ」を送信対象に含むのに対して，
　引用発明では，送信を「同期して」行うことや，生成した「アンダーレイ」に相当するデータをデータベースサーバに送信することまでは言及されていない点。
　
（相違点３）
　ドキュメントへのアクセスの要求に応じて，ユーザのコンピューティング・デバイスへ提供させる点に関し，
　本願発明では，「ドキュメント管理・コラボレーション・システムから」提供させるのに対して，
　引用発明では，データベースサーバから提供することまでは言及されてない点。
　
　
第６　判断
　上記相違点について，判断する。
　
１　相違点１について
　
　ネットワークにより接続されたユーザからの要求に応じて，コンピュータリソースに係るサービスを提供する「コンピューティング・リソース・サービス・プロバイダ」と呼び得る構成は，例えば当審拒絶理由通知の中でも引用した，特開２０１２−２０９８０９号公報（例えば，段落【００１９】〜【００３２】，【図１】に示された，電子ファイル格納サービス事業者によって提供されるデータ提供装置３００に関する記載を参照）や，特開２０１１−１９１８６２号公報（段落【００２７】〜【００３０】，【００４５】〜【００６３】，【図１】に示された，ファイル管理システム管理者によって運営されるファイル管理のためのサーバ２に関する記載を参照）にも記載されているとおり，当該技術分野における周知の構成である。
　引用発明における企業内ネットワークの構成である「文書管理サーバ」及び「データベースサーバ」は，通信ネットワークを介して外部からアクセスしてきた携帯電話に文書の閲覧やコメントに係るサービスを提供するものであるから，外部からのアクセスを受け入れてコンピュータリソースに係るサービスを提供するものであるといえ，当該「文書管理サーバ」及び「データベースサーバ」からなる構成に対し，同様の技術分野に属する上記周知の構成を適用することで，「コンピューティング・リソース・サービス・プロバイダ」として構成すること，すなわち，相違点１に係る構成とすることは，当業者が容易に想到し得たことである。
２　相違点２及び３について
　事案に鑑み，相違点２及び３についてまとめて検討する。
　引用発明は，ＰＣからの登録要求対象である文書を，任意のフォーマット（ファイル形式）で保存して「データベースサーバ」に送って登録しており，そして，携帯電話から閲覧要求があった際には，「データベースサーバ」から取得して「文書管理サーバ」において「携帯電話で閲覧可能なフォーマット」に変換して携帯電話に提供しているが，これは，「様々なフォーマットで前記データベースサーバに保管されている企業内の文書や画像等の文書を外出先の前記携帯電話で閲覧することができるように」するための構成であって，文書の登録先である上記「データベースサーバ」が「共通フォーマット」による文書の格納を排除するものではなく，また，文書等を含むデータの格納フォーマットをどこまで共通なものとするかは，携帯電話で閲覧可能に提供できる範囲で，データにアクセスするユーザの種類や利便性を考慮して適宜決め得る程度の事項といえるから，引用発明の上記「データベースサーバ」に登録する文書のフォーマットを，携帯電話で閲覧可能となるよう共通なものに変更することに格別困難性は認められない。
　してみると，引用発明において，携帯電話の閲覧用の文書データの「データベースサーバ」への登録を，「携帯電話で閲覧可能なフォーマット」へ変換した上で行うよう変更することは，当業者であれば適宜なし得る程度の事項であって，そして，その上で携帯電話からの閲覧要求があれば，登録先の上記「データベースサーバ」から格納済みの上記「携帯電話で閲覧可能なフォーマット」に変換した文書データを取得し，「文書管理サーバ」をとおして携帯電話に提供することとなる。
　そして，この場合の引用発明における，文書データを「携帯電話で閲覧可能なフォーマット」に変換して「データベースサーバ」に登録のため送ることが，本願発明における生成後の「ドキュメントの共通フォーマットであるアンダーレイ」に係る文書データを「ドキュメント管理・コラボレーション・システム」に送信することに相当することとなり，また，同様にこの場合の引用発明における，「携帯電話で閲覧可能なフォーマット」に変換した文書データを上記「データベースサーバ」から取得して携帯電話に提供させることが，本願発明における「アンダーレイ」に係る文書データを「ドキュメント管理・コラボレーション・システム」からユーザのコンピューティング・デバイスへ提供させることに相当することとなる。また，引用発明は，携帯電話での文書の閲覧や文書におけるマーキングの閲覧のために，上記「文書管理サーバ」から携帯電話に対し，文書データと，それに関連付けて「データベースサーバ」に記録されたマーキング及び閲覧文書におけるマーキングの座標位置のデータとを，まとまりとして提供しており，上記のとおり「データベースサーバ」に登録されることとなる「携帯電話で閲覧可能なフォーマット」に変換した文書データと，「データベースサーバ」に記録されたマーキング及びマーキングの座標位置のデータについてもまとめて処理の対象とすることは自然な発想であって，これらのデータの「データベースサーバ」への送信をまとめて文献登録時に行うことは，上記「ＰＣ」及び「文書管理サーバ」における処理に併せて，すなわち，「同期して」行われたものといいうるものである。
　したがって，引用発明において，「文書管理サーバ」から「データベースサーバ」に，「携帯電話で閲覧可能なフォーマット」に変換した文書データを含むデータを「同期して」送信するとともに，「データベースサーバ」から携帯電話に「携帯電話で閲覧可能なフォーマット」に変換した文書データを含むデータを提供するよう構成すること，すなわち，相違点２及び３に係る構成とすることは，当業者が容易に想到し得たことである。
　よって，相違点２及び３は，格別のものではない。
　
　そして，本願発明の構成によってもたらされる効果も，当業者であれば容易に予測できる程度のものであって，格別なものとは認められない。
　
　
第７　むすび
　以上のとおり，本願発明は，その優先日前に日本国内又は外国において頒布された又は電気通信回線を通じて公衆に利用可能となった引用発明及び周知技術に基づいて，その優先日前にその発明の属する技術の分野における通常の知識を有する者が容易に発明をすることができたものであるから，特許法２９条２項の規定により特許を受けることができない。
　
　よって，結論のとおり審決する。